(57)【特許請求の範囲】
【請求項１】
ページ単位で設定されるページ設定情報を有する印刷ジョブの編集を行うジョブ編集機能を備えた画像形成装置であって、
所定のページの前記ページ設定情報に含まれる特定のチケット項目の設定値を編集するための変更値を受け付けると共に、前記変更値を反映させる反映先を指定するための反映先設定情報を受け付ける操作部と、
前記印刷ジョブの前記ページ設定情報を取得し、前記操作部において受け付けられた前記反映先設定情報に基づいて、取得した前記ページ設定情報に含まれる前記特定のチケット項目の設定値を前記操作部で受け付けられた前記変更値とする制御部とを備え、
前記制御部は、
前記反映先設定情報がトレイ情報であるとき、前記所定のページの前記トレイ情報に基づく用紙トレイ項目の設定値と、他ページの前記トレイ情報に基づく用紙トレイ項目の設定値とが同一であるか否かを判断し、当該用紙トレイ項目の設定値が同一であると判断した場合、前記他ページの前記特定のチケット項目の設定値を前記変更値とする
ことを特徴とする画像形成装置。
【請求項２】
前記特定のチケット項目は、用紙トレイ、用紙サイズ、用紙種類、坪量、用紙の色、パンチ穴の有無または前記用紙関連のチケットを一括管理するプロファイルである
ことを特徴とする請求項１に記載の画像形成装置。
【請求項３】
前記操作部は、前記反映先設定情報として、前記印刷ジョブとは異なる他の印刷ジョブに前記変更値を反映させるための他ジョブ情報を受け付け、
前記制御部は、前記操作部により受け付けられた前記他ジョブ情報に基づいて、編集中の前記印刷ジョブにおける前記変更値の反映処理が終了した後に、前記他の印刷ジョブにおける前記変更値の反映処理を行う
ことを特徴とする請求項１または請求項２に記載の画像形成装置。
【請求項４】
前記印刷ジョブを保存する記憶部をさらに備える
ことを特徴とする請求項１から請求項３の何れか一項に記載の画像形成装置。
【請求項５】
前記操作部は、前記反映先設定情報として、前記変更値を反映させるページを指定するページ指定情報を受け付け、
前記制御部は、前記操作部により受け付けられた前記ページ指定情報に基づいて、指定された前記ページの前記チケット項目の設定値に対して前記変更値を反映させる
ことを特徴とする請求項１に記載の画像形成装置。
【発明の詳細な説明】
【技術分野】
【０００１】
本発明は、記録紙上に画像を形成する画像形成装置に関する。詳しくは、変更値を反映させる反映先を指定するための反映先設定情報が設定されたとき、基準となるページの反映先設定情報に基づくチケット項目の設定値と同一の設定値を有する全てのページに対して変更後のチケット項目の変更値を反映させるものである。
【背景技術】
【０００２】
近年、複写機等の画像形成装置には、ＨＤＤ（Hard Disk Drive）等の記憶部に保存したジョブを編集するためのチケット編集機能が設けられている。チケット編集機能では、ページ単位で用紙設定を変更することが可能であり、例えば、現在のページ、１つおきのページ、全てのページ、任意の複数ページの何れかを選択して、それらのページに同じプリント設定を一度の設定操作で行うことができる。また、物理ページ（プリントページ）、論理ページ（原稿ページ）にウォーターマーク、アノテーションの設定の変更が可能であり、端末装置側では、章単位またはページ単位にプリント設定の変更を行うことができるようになっている。
【０００３】
さらには、プリント設定の編集の適用範囲を適切かつ容易に設定することを目的として、プリントジョブのジョブチケットの設定内容およびページチケットの編集内容に基づいて、複数のページチケット編集の適用範囲から選択可能なページチケット編集の適用範囲を判断する画像形成装置が提案されている（特許文献１参照）。
【先行技術文献】
【特許文献】
【０００４】
【特許文献１】特開２００８−１７６６１０号公報
【発明の概要】
【発明が解決しようとする課題】
【０００５】
ところで、同一トレイにおいて複数の用紙サイズの設定が行われている場合には、用紙トレイの数は有限であるため、印刷ジョブを実行することができない。このとき、従来の画像形成装置では、同一トレイに設定された用紙サイズを変更するために、ページ数に応じて逐次用紙サイズを変更しなければならないため、操作工数が増えてしまうという問題があった。さらに、トレイが別々に設定されているインデックス紙サイズを変更したいときには、印刷ジョブの中で変更したいインデックス紙サイズが設定されているページを探し、ひとつひとつ設定する必要があり、これも操作工数を増加させる要因となっていた。
【０００６】
そこで、本発明は、上記課題に鑑みてなされたものであり、ジョブを構成するページのページ設定情報の変更値を特定のページに対して簡易に反映させることが可能な画像形成装置を提供することを目的とする。
【課題を解決するための手段】
【０００７】
上記課題を解決するために、本発明の請求項１に係る画像形成装置は、ページ単位で設定されるページ設定情報を有する印刷ジョブの編集を行うジョブ編集機能を備えた画像形成装置であって、所定のページのページ設定情報に含まれる特定のチケット項目の設定値を編集するための変更値を受け付けると共に、変更値を反映させる反映先を指定するための反映先設定情報を受け付ける操作部と、印刷ジョブのページ設定情報を取得し、操作部において受け付けられた反映先設定情報に基づいて、取得したページ設定情報に含まれる特定のチケット項目の設定値を操作部で受け付けられた変更値とする制御部とを備え、制御部は、反映先設定情報がトレイ情報であるとき、所定のページのトレイ情報に基づく用紙トレイ項目の設定値と、他ページのトレイ情報に基づく用紙トレイ項目の設定値とが同一であるか否かを判断し、当該用紙トレイ項目の設定値が同一であると判断した場合、他ページの特定のチケット項目の設定値を変更値とすることを特徴とするものである。
【００１０】
また、本発明の請求項２に係る画像形成装置は、特定のチケット項目が、用紙トレイ、用紙サイズ、用紙種類、坪量、用紙の色、パンチ穴の有無または用紙関連のチケットを一括管理するプロファイルであることを特徴とするものである。
【００１３】
また、本発明の請求項３に係る画像形成装置は、操作部が、反映先設定情報として、印刷ジョブとは異なる他の印刷ジョブに変更値を反映させるための他ジョブ情報を受け付け、制御部は、操作部により受け付けられた他ジョブ情報に基づいて、編集中の印刷ジョブにおける変更値の反映処理が終了した後に、他の印刷ジョブにおける変更値の反映処理を行うことを特徴とするものである。
【００１４】
また、本発明の請求項４に係る画像形成装置は、印刷ジョブを保存する記憶部をさらに備えることを特徴とするものである。
【００１５】
また、本発明の請求項５に係る画像形成装置は、操作部が、反映先設定情報として、変更値を反映させるページを指定するページ指定情報を受け付け、制御部は、操作部により受け付けられたページ指定情報に基づいて、指定されたページのチケット項目の設定値に対して変更値を反映させることを特徴とするものである。
【発明の効果】
【００１７】
請求項１に係る発明によれば、用紙トレイ項目の設定値が同一となる全てのページに対して変更値を反映させることができるので、ページ単位で設定値を変更する必要がなくなり、変更による操作工数を低減できる。また、変更値の反映先を指定する反映先設定情報に基づいて変更値を反映させるので、不適当な設定等による禁則を吸収できる。
【００２０】
請求項２に係る発明によれば、用紙トレイや用紙サイズ等の様々なチケット項目の変更値を、他ページのチケット項目の設定値に対して反映させることができる。
【００２３】
請求項３に係る発明によれば、他の印刷ジョブに対しても、現在編集している印刷ジョブの変更値を反映させることができるので、操作工程数を大幅に削減することができる。
【００２４】
請求項４に係る発明によれば、画像形成装置に接続される情報処理装置等から送信される複数の印刷ジョブを保存することができるようになる。
【００２５】
請求項５に係る発明によれば、指定したページに対してのみ、チケット項目の変更値を反映させることができるので、ページ毎にチケット項目の設定値を変更する操作が不要となり、操作工程数を大幅に削減することができる。
【図面の簡単な説明】
【００２７】
【図１】本発明の第１実施形態に係る画像形成装置の構成例を示す図である。
【図２】画像形成装置のブロック構成例を示す図である。
【図３】ＨＤＤに保存される印刷ジョブの構成例を示す図である。
【図４】ジョブリスト画面の構成例を示す図である。
【図５】チケット編集画面の構成例を示す図である。
【図６】用紙サイズ設定画面の構成例を示す図である。
【図７】反映先設定情報が同一トレイの全シートに設定された場合の画像形成装置の動作例を示すフローチャートである。
【図８】反映先設定情報が同一サイズの全シートに設定された場合の画像形成装置の動作例を示すフローチャートである。
【図９】本発明の第２実施形態に係る画像形成装置の表示部に表示される指定ページ設定画面の構成例を示す図である。
【図１０】指定ページが設定された場合の画像形成装置の動作例を示すフローチャートである。
【図１１】本発明の第３実施形態に係る画像形成装置の表示部に表示される用紙サイズ設定画面の構成例を示す図である。
【図１２】ジョブリスト画面の構成例を示す図である。
【図１３】ほかのジョブが設定された場合の画像形成装置の動作例を示すフローチャートである（その１）。
【図１４】ほかのジョブが設定された場合の画像形成装置の動作例を示すフローチャートである（その２）。
【図１５】本発明の第４実施形態に係る画像形成装置の表示部に表示されるステープル設定画面の構成例を示す図である。
【図１６】本発明の第５実施形態に係る画像形成装置の表示部に表示されるスムージング設定画面の構成例を示す図である。
【発明を実施するための形態】
【００２８】
以下、発明を実施するための最良の形態について説明する。
＜第１の実施の形態＞
［画像形成装置の構成例］
本発明に係る画像形成装置１００は、図１に示すように、タンデム型カラー画像形成装置と称せられるものであり、二次転写部５Ａ、クリーニング部６Ａ、中間転写ユニット７、イエロー（Ｙ）色、マゼンタ（Ｍ）色、シアン（Ｃ）色および黒（ＢＫ）色作像用の画像形成部１０Ｙ，１０Ｍ，１０Ｃ，１０Ｋ、用紙トレイ２０、送り出しローラ２１、複数の中間ローラ２２Ａ，２２Ｂ，２２Ｃ，２２Ｄ、レジストローラ２３、定着部２４および中間転写ユニット７を備えている。
【００２９】
Ｙ色作像用の画像形成部１０Ｙは、感光体ドラム１Ｙ（像担持体）、帯電部２Ｙ、走査露光ユニット３Ｙ、現像部４Ｙ、一次転写部５Ｙおよび、クリーニング部６Ｙを有している。画像形成部１０Ｙでは帯電、露光、現像が行われて、感光体ドラム１Ｙ上にＹ色のトナー画像が形成される。走査露光ユニット３Ｙは、感光体ドラム１Ｙに画像情報に基づくレーザービーム光Ｌｂを走査して静電潜像を形成する。
【００３０】
Ｍ色作像用の画像形成部１０Ｍは、感光体ドラム１Ｍ、帯電部２Ｍ、走査露光ユニット３Ｍ、現像部４Ｍ、一次転写部５Ｍ、クリーニング部６Ｍを有している。画像形成部１０Ｍでは帯電、露光、現像が行われて、感光体ドラム１Ｍ上にＭ色のトナー画像が形成される。
【００３１】
Ｃ色作像用の画像形成部１０Ｃは、感光体ドラム１Ｃ、帯電部２Ｃ、走査露光ユニット３Ｃ、現像部４Ｃ、一次転写部５Ｃ、クリーニング部６Ｃを有している。画像形成部１０Ｃでは帯電、露光、現像が行われて、感光体ドラム１Ｃ上にＹ色のトナー画像が形成される。
【００３２】
ＢＫ色作像用の画像形成部１０Ｋは、感光体ドラム１Ｋ、帯電部２Ｋ、走査露光ユニット３Ｋ、現像部４Ｋ、一次転写部５Ｋ、クリーニング部６Ｋを有している。画像形成部１０Ｋでは帯電、露光、現像が行われて、感光体ドラム１Ｋ上にＭ色のトナー画像が形成される。
【００３３】
上述の画像形成部１０Ｙ〜１０Ｋには、隣接して中間転写ユニット７が設けられ、中間転写ユニット７は、半導電性の無終端状の中間転写ベルト８を有している。中間転写ベルト８は複数のローラにより巻回され、回動可能に支持される。
【００３４】
画像形成部１０Ｙ，１０Ｍ，１０Ｃ，１０Ｋより形成されたＹ，Ｍ，Ｃ，ＢＫ色のトナー画像は、回動する中間転写ベルト８と同期がとられて、一次転写部５Ｙ，５Ｍ，５Ｃ，５Ｋにより、逐次、中間転写ベルト８上に転写される。この転写によって重ね合わされ、合成されたカラー画像が中間転写ベルト８上に形成される。
【００３５】
一方、用紙トレイ２０内に収容された用紙Ｐは、送り出しローラ２１により給紙され、複数の中間ローラ２２Ａ，２２Ｂ，２２Ｃ，２２Ｄ、レジストローラ２３を経て、二次転写部５Ａに搬送される。中間転写ベルト８上に重ね合わされたカラー画像は、二次転写部５Ａによって、用紙Ｐ上に一括転写される。カラー画像が転写された用紙Ｐは、定着部２４により定着処理され、排紙ローラ２５に挟持されて機外の排紙トレイ２６上に載置される。
［画像形成装置のブロック構成例］
画像形成装置１００は、図２に示すように、画像形成装置本体１２とプリンタコントローラ部８０とを備えている。画像形成装置本体１２は、スキャナ部３０と制御部４０と操作表示部６０とプリンタ部７０とプリンタコントローラ部８０とから構成されている。
【００３６】
スキャナ部３０は、ＣＣＤイメージセンサ３２と、ＣＣＤイメージセンサ３２を駆動するスキャナ制御部３４とを有している。ＣＣＤイメージセンサ３２は、スキャナ制御部３４の制御に基づいて原稿面を光走査してアナログ画像信号を読み取る。スキャナ制御部３４は、ＣＣＤイメージセンサ３２により読み取られたアナログ画像信号を読取処理部５０に供給する。
【００３７】
操作表示部６０は、表示部６２と操作部６４とを有しており、本例では、表示部６２と操作部６４とが一体に組み合わされたタッチパネルにより構成される。表示部６２は、例えば液晶ディスプレイや有機ＥＬ(electroluminescence)ディスプレイ等から構成され、メニュー画面やジョブリスト画面２００、チケット編集画面３００（図４，図５参照）等を表示する。操作部６４は、マウスやキーボート、操作画面等から構成され、チケット編集画面３００等において所定のチケット項目がタッチ操作またはカーソル操作されたとき、選択された項目に基づく入力情報（位置座標）を検出する。
【００３８】
制御部４０は、スキャナ部３０、プリンタ部７０および操作表示部６０のそれぞれの動作を制御するものであり、画像制御部（制御部）４２とＤＲＡＭ制御ＩＣ４４と不揮発性メモリ４６と画像メモリ４８と読取処理部５０と圧縮ＩＣ５２と書込処理部５４と伸長ＩＣ５６とＨＤＤ５８とを有している。
【００３９】
画像制御部４２は、ＣＰＵ（Central Processing Unit）、ＲＡＭ（Random Access Memory）等から構成され、不揮発性メモリ４６に格納されている各種処理プログラムを読み出してＲＡＭ上に展開し、当該プログラムとＣＰＵとの協働により画像形成装置１００の各部の処理動作を統括的に制御する。
【００４０】
画像制御部４２は、後述するチケット編集画面３００において変更されたチケット項目の変更値を反映させる反映先を指定するための反映先設定情報が操作部６４で受け付けられたとき、基準となるページの反映先設定情報に基づくチケット項目の設定値と同一のチケット項目の設定値を有する全てのページに対して、変更後の変更値を反映させる。
【００４１】
不揮発性メモリ４６は、半導体メモリ等から構成され、画像制御部４２等により実行される各種の制御プログラムや、当該画像形成装置の機能に応じた情報等を記憶する。
【００４２】
画像メモリ４８は、例えば、ＤＲＡＭ（Dynamic RAM）から構成され、圧縮メモリ４８ａとページメモリ４８ｂとを有している。圧縮メモリ４８ａは、ジョブリスト画面２００、チケット編集画面３００等の圧縮画像データを格納するためのメモリであり、ページメモリ４８ｂは、画像形成前にプリント対象の非圧縮画像データを一時的に格納するためのメモリである。
【００４３】
ＨＤＤ５８は、記憶部の一例であり、画像形成装置１００やプリンタコントローラ部８０に接続される情報処理装置９０により生成された印刷ジョブ等を保存するものである。図３に示すように、ＨＤＤ５８には、複数の印刷ジョブ（ジョブ１、ジョブ２、ジョブ３・・・ジョブｎ）が保存される。各印刷ジョブには、ジョブ全体の情報とページ単位の情報と画像データとが含まれている。ページ単位の情報には、例えば、用紙トレイ、用紙サイズ、用紙種類、坪量、用紙の色、パンチ穴の有無、用紙関連のチケットを一括管理するプロファイル等の各チケット項目に対応した内容（設定値）が含まれている。
【００４４】
読取処理部５０は、ＣＣＤイメージセンサ３２により光電変換されたアナログ画像信号を処理して圧縮ＩＣ５２に画像データを出力する。ＤＲＡＭ制御ＩＣ４４は、画像制御部４２の制御に基づいて読取処理部５０から入力された画像データの圧縮処理を圧縮ＩＣ５２に実行させて、圧縮画像データを圧縮メモリ４８ａに格納させる。また、ＤＲＡＭ制御ＩＣ４４は、画像制御部４２の制御に基づいて圧縮メモリ４８ａから読み出した圧縮画像データを伸長ＩＣ５６により伸長処理を実行させてページメモリ４８ｂに格納させ、ページメモリ４８ｂから非圧縮画像データを読み出して書込処理部５４に出力する。書込処理部５４は、伸長された画像データを記録紙への書込み用に処理し、プリンタ部７０に出力する。
【００４５】
プリンタ部７０は、図１で説明した感光体ドラム１、帯電部２、現像部３、転写部４、分離部５およびクリーニング部６の他に、レーザーダイオード７２（ＬＤ）とプリンタ制御部７４とを有している。レーザーダイオード７２は、書込処理部５４から出力される画像データに基づいて所定の強度のレーザ光を感光体ドラム１に射出する。プリンタ制御部７４は、画像制御部４２から供給される制御信号に基づいてレーザーダイオード７２等を制御する。
【００４６】
ＦＮＳ制御部７６は、プリンタ制御部７４に接続され、図示しない後処理装置に設けられた穿孔手段、シフト手段およびステープラ手段等の動作を制御する。
【００４７】
プリンタコントローラ部８０は、画像形成装置１００をネットワークプリンタとして使用する場合に、ＬＡＮに接続される情報処理装置９０から画像データ等を画像形成装置本体１２に送信するものであり、コントローラ制御部８２とＤＲＡＭ制御ＩＣ８４と画像メモリ８６と通信インタフェース（Ｉ／Ｆ）８８とを有している。
【００４８】
コントローラ制御部８２は、プリンタコントローラ部８０の各部の動作を統括的に制御し、ＬＡＮを介して情報処理装置９０から入力される画像データ等を画像形成装置１００の動作状態に応じてプリントジョブとして出力する。通信インタフェース８８は、ＮＩＣ（Network Interface Card）やモデム等のＬＡＮと接続するための通信インタフェースであり、情報処理装置９０からＬＡＮを介してプリント対象の画像データを受信し、受信した画像データをＤＲＡＭ制御ＩＣ８４に出力する。
【００４９】
ＤＲＡＭ制御ＩＣ８４は、通信インタフェース８８により受信された画像データを画像メモリ８６に記憶したり、画像メモリ８６から画像データを読み出したりする。また、ＤＲＡＭ制御ＩＣ８４は、本体側のＤＲＡＭ制御ＩＣ４４とＰＣＩバスで接続されており、コントローラ制御部８２の指示に基づいてプリント対象の画像データを画像メモリ８６から読み出してＤＲＡＭ制御ＩＣ４４に出力する。
【００５０】
情報処理装置９０は、例えばパーソナルコンピュータから構成され、ユーザにより設定された印刷ジョブに基づくジョブデータを生成し、ＬＡＮを介して画像形成装置１００に送信する。印刷ジョブに基づくジョブデータには、ジョブの加工情報やプリントの指示設定情報等が含まれている。
【００５１】
［ジョブリスト画面の構成例］
次に、表示部６２に表示されるジョブリスト画面２００の構成の一例について説明する。画像形成装置１００の表示部６２の画面には、画像形成装置１００の電源がオンされると、初期画面としてのメニュー画面が表示される。このメニュー画面の上部には、機械状態ボタン２０１、ジョブリストボタン２０２、読出しボタン２０３、コピーボタン２０４、スキャンボタン２０５が表示される。例えば、メニュー画面においてジョブリストボタン２０２がユーザのタッチ操作またはカーソル操作により選択されると、図４に示すように、ジョブリスト画面２００が表示される。なお、本実施の形態において、表示部６２における画面の選択とは、タッチ操作による選択とカーソル操作による選択を含むものとする。
【００５２】
ジョブリスト画面２００は、情報処理装置９０から送信された印刷ジョブや、画像形成装置１００の操作部６４の操作により入力された印刷ジョブ等をＨＤＤ５８から読み出して一覧表示したものである。ジョブリスト画面２００の中央には、ＨＤＤ５８に保存されている複数の印刷ジョブ（予約ジョブ等）のジョブリスト２２０が一覧表示される。このジョブリスト２２０は、例えば、ファイル名、ユーザ名、最終更新日時、印刷枚数および印刷部数の各項目から構成され、更新日時が新しい順に画面上側から配置される。また、ジョブリスト画面２００には、ユーザがジョブリスト２２０の中から所定の印刷ジョブを選択するためのカーソルＣＬが設けられている。例えば、カーソルＣＬによって印刷ジョブＪＢ４が選択されると、選択された印刷ジョブＪＢ４が強調表示（網掛け表示）される。
【００５３】
ジョブリスト画面２００の左側には、ジョブリスト２２０の中から選択された印刷ジョブのジョブ情報を表示するジョブ情報表示画面２１０が設けられている。ジョブ情報表示画面２１０には、選択された印刷ジョブの、縮小（サムネイル）画像と、用紙トレイ、用紙サイズ、紙種、坪量等の各チケット項目における設定値が表示される。
【００５４】
ジョブリスト画面２００の右下側には、ジョブチケットボタン２３０とページ編集ボタン２３２とが表示される。ジョブチケットボタン２３０は、ジョブリスト２２０で選択した印刷ジョブの用紙トレイ、用紙サイズ、紙種、坪量等の各チケット項目の設定値を編集するチケット編集画面３００（図５参照）に切り替えるためのボタンである。ページ編集ボタン２３２は、ジョブリスト２２０で選択した印刷ジョブの画像の入れ替えや、削除、挿入等の編集を行う画像編集画面に切り替えるためのボタンである。
【００５５】
［チケット編集画面の構成例］
次に、チケット編集画面３００の構成の一例について説明する。ジョブリスト画面２００においてジョブチケットボタン２３０が選択されると、図５に示すように、ジョブリスト画面２００からチケット編集画面３００に切り替えて表示される。チケット編集画面３００は、ジョブリスト画面２００で選択された印刷ジョブのページ単位で設定されている用紙トレイ、用紙サイズ、紙種、坪量等の各チケット項目の編集や印刷ジョブ全体の編集を行うための画面である。
【００５６】
チケット編集画面３００の中央より若干上側には、ジョブリスト２２０においてユーザにより選択された印刷ジョブの所定ページ（例えば第１ページ）の縮小画像３４０が表示される。縮小画像３４０の下方には、ジョブリスト２２０で選択された印刷ジョブに含まれる複数のチケット項目をページ別に編集するための用紙設定ボタン群３５０が設けられている。
【００５７】
用紙設定ボタン群３５０は、プロファイル番号を設定するためのプロファイル設定ボタン３５１と、用紙サイズを設定するための用紙サイズ設定ボタン３５２と、用紙トレイを設定するための用紙トレイ設定ボタン３５３と、用紙の種類を選択するための用紙種類設定ボタン３５４と、用紙の坪量を設定するための坪量設定ボタン３５５と、用紙の色を設定するための色紙設定ボタン３５６と、パンチ穴の有無を設定するためのパンチ設定ボタン３５７とから構成されている。
【００５８】
チケット編集画面３００の上部左側には、印刷ジョブのファイル名やパスワード等を設定するための基本設定ボタン群３１０が設けられ、その下方にはソートや排紙順を設定するための出力設定ボタン群３２０が設けられ、さらにその下方には小冊子や無線とじ等を設定するための応用設定ボタン群３３０が設けられている。これらのボタンは、ジョブ全体のチケット項目の編集を行うためのボタンである。
【００５９】
チケット編集画面３００の上部右側には、印刷面を設定するための印刷面設定ボタン３６０が設けられ、その下方には排紙トレイの設定やステープルの有無の設定を行うための出力設定ボタン群３７０が設けられ、さらにその下方には画像シフトの設定やスムージング機能の設定を行うための画質調整ボタン群３８０が設けられる。
【００６０】
［用紙サイズ設定画面の構成例］
次に、用紙サイズ設定画面４００の構成の一例について説明する。チケット編集画面３００において、例えば用紙サイズ設定ボタン３５２が選択されると、図６に示すように、チケット編集画面３００上に用紙サイズ設定画面４００が重ねて表示される。この用紙サイズ設定画面４００は、印刷ジョブの生成時に設定された用紙サイズを変更すると共に、変更した用紙サイズを反映させる反映先を設定するための画面である。
【００６１】
用紙サイズ設定画面４００の上部には、左側から定形サイズ設定ボタン４１０、不定形サイズ設定ボタン４１１およびインデックス紙設定ボタン４１２が設けられている。ここで、例えば、定形サイズ設定ボタン４１０が選択されると、用紙サイズ設定画面４００の中央には選択可能な複数の用紙サイズボタン群４２０が表示される。用紙サイズボタン群４２０は、例えば、Ａ４（縦）サイズやＡ３サイズ、Ｂ５（横）サイズ等の各種の用紙サイズに対応したボタンから構成されている。
【００６２】
また、用紙サイズ設定画面４００の下部左側には、用紙サイズボタン群４２０の選択により変更された用紙サイズの変更を反映させる反映先を選択するためのチェックボックス群４３０が設けられている。チェックボックス群４３０は、「このシート」を選択するための第１のチェックボックス４３１と、「全シート」を選択するための第２のチェックボックス４３２と、「同一トレイの全シート」を選択するための第３のチェックボックス４３３と、「同一サイズの全シート」を選択するための第４のチェックボックス４３４とから構成されている。なお、第５のチェックボックス４３５については後述する。
【００６３】
第１のチェックボックス４３１は、ジョブリスト２２０で選択した印刷ジョブを構成する複数のページのうち現在編集中のページ（「このシート」）にのみ、用紙サイズの変更を反映させるためのボックスである。第２のチェックボックス４３２は、ジョブリスト２２０で選択した印刷ジョブを構成する全ページ（「全シート」）に、用紙サイズの変更を反映させるためのボックスである。
【００６４】
第３のチェックボックス４３３は、ジョブリスト２２０で選択した印刷ジョブを構成する複数のページのうち、現在編集しているページの用紙トレイ項目の設定値と同一の設定値を有する他の全てのページに対して、用紙サイズ等の特定のチケット項目の変更を反映させるためのボックスである。第４のチェックボックス４３４は、ジョブリスト２２０で選択した印刷ジョブを構成する複数のページのうち、現在編集しているページの用紙サイズ項目の設定値と同一の設定値を有する他の全てのページに対して、用紙サイズ等の特定のチケット項目の変更を反映させるためのボックスである。
【００６５】
用紙サイズ設定画面４００の下部右側には、用紙サイズ設定画面４００を閉じるためのキャンセルボタン４５０と、用紙サイズの変更を確定するＯＫボタン４５２とが設けられている。
【００６６】
［画像形成装置の動作例（その１）］
次に、画像形成装置１００の動作の一例について説明する。この例では、用紙サイズ設定画面４００において、印刷ジョブを構成する第１ページの用紙サイズを「Ａ４（縦）」から「８．５×１１（横）」に変更した後、第３のチェックボックス４３３である「同一トレイの全シート」を選択し、ＯＫボタン４５２を選択した場合の画像形成装置１００の処理を示している。このとき、変更反映先情報はトレイ情報であり、選択された印刷ジョブの第１ページ目を基準ページとする。
【００６７】
図７に示すように、ステップＳ１００で画像制御部４２は、ジョブリスト画面２００において選択された印刷ジョブの所定ページのページ設定情報を取得する。例えば、画像制御部４２は、現在選択されている印刷ジョブの第２ページのページ設定情報をＨＤＤ５８から取得する。このページ設定情報には、例えば、用紙トレイ項目の「トレイ１」や用紙サイズ項目の「Ａ４（縦）」等の各チケット項目の設定値が含まれている。
【００６８】
ステップＳ１１０で画像制御部４２は、反映先設定情報として設定されている「同一トレイの全シート」に基づいて、基準となるページの用紙トレイ項目の設定値と、ステップＳ１００で取得した他ページの用紙トレイ項目の設定値とが同一であるか否かを判断する。例えば、第１ページの用紙トレイ項目が「トレイ１」であり、第２ページの用紙トレイ項目が「トレイ１」である場合には、用紙トレイ項目の設定値が同一であるとしてステップＳ１２０に進む。一方、第１ページの用紙トレイ項目が「トレイ１」であり、第２ページの用紙トレイ項目が「トレイ２」である場合、用紙トレイ項目の設定値が同一でないとしてステップＳ１３０に進む。
【００６９】
ステップＳ１２０で画像制御部４２は、用紙トレイ項目の設定値が同一であると判断した場合、ステップＳ１００で取得したページの用紙サイズ（設定値）を、用紙サイズ設定画面４００で編集された変更後の用紙サイズ（変更値）に変更する。例えば、第１ページの用紙サイズが「Ａ４（縦）」から「８．５×１１（横）」に編集された場合には、第２ページの用紙サイズを「８．５×１１（横）」に変更する。
【００７０】
ステップＳ１３０で画像制御部４２は、ジョブリスト画面２００で選択した印刷ジョブにおいて次のページがあるか否かを判断する。画像制御部４２は、次のページ（例えば、第３ページ）があると判断した場合にはステップＳ１４０に進み、次のページがないと判断した場合にはステップＳ１５０に進む。
【００７１】
ステップＳ１４０で画像制御部４２は、次のページがある場合には、次のページのページ設定情報を取得してステップＳ１１０に戻る。そして、上記ステップＳ１１０〜ステップＳ１４０までの処理と同様の処理が印刷ジョブの全ページ（残りのページ）に対して繰り返し実行される。つまり、印刷ジョブが複数のページで構成されている場合、全ページに対して、基準ページの用紙トレイ項目の設定値と同一であるか否かが判断され、同一の設定値を有する全てのページに対して、変更した後の用紙サイズを反映させる。
【００７２】
一方、ステップＳ１５０で画像制御部４２は、印刷ジョブを構成する全てのページに対して一連の反映適用処理が終了したと判断すると、用紙サイズ設定画面４００を閉じる。
【００７３】
［画像形成装置の動作例（その２）］
次に、変更反映先情報として第４のチェックボックス４３４（「同一サイズの全シート」）を選択した場合の画像形成装置１００の動作の一例について説明する。変更反映先情報は用紙サイズ情報であり、選択された印刷ジョブの第１ページ目を基準ページとする。なお、上述した画像形成装置の動作例（その１）と共通する処理については説明を簡略化する。
【００７４】
図８に示すように、ステップＳ２００で画像制御部４２は、ジョブリスト画面２００において選択された印刷ジョブの所定ページのページ設定情報を取得する。例えば、現在選択されている印刷ジョブの第２ページのページ設定情報を取得する。
【００７５】
ステップＳ２１０で画像制御部４２は、反映先設定情報として設定されている「同一サイズの全シート」に基づいて、基準となる基準ページの用紙サイズ項目の設定値と、取得した他ページの用紙サイズ項目の設定値とが同一であるか否かを判断する。例えば、第１ページの変更前の用紙サイズが「Ａ４（縦）」であり、第２ページの用紙サイズが「Ａ４（縦）」である場合には、用紙サイズ項目の設定値が同一であるとしてステップＳ２２０に進む。一方、第１ページの変更前の用紙サイズが「Ａ４（縦）」であり、第２ページの用紙サイズが「Ａ３（横）」である場合、用紙サイズ項目の設定値が同一でないとしてステップＳ２３０に進む。
【００７６】
ステップＳ２２０で画像制御部４２は、用紙サイズ項目の設定値が同一であると判断した場合、ステップＳ２００で取得したページの用紙サイズを、用紙サイズ設定画面４００で編集された変更後の用紙サイズに変更する。例えば、第１ページの用紙サイズが「Ａ４（縦）」から「８．５×１１（横）」に編集された場合には、第２ページの用紙サイズを「８．５×１１（横）」に変更する。
【００７７】
ステップＳ２３０で画像制御部４２は、ジョブリスト画面２００で選択した印刷ジョブにおいて次のページがあるか否かを判断する。画像制御部４２は、次のページ（例えば、第３ページ）があると判断した場合にはステップＳ２４０に進み、次のページがないと判断した場合にはステップＳ２５０に進む。
【００７８】
ステップＳ２４０で画像制御部４２は、次のページがある場合には、次のページのページ設定情報を取得してステップＳ２１０に戻る。そして、上記ステップＳ２１０〜ステップＳ２４０までの処理と同様の処理が印刷ジョブの全ページに対して繰り返し実行される。つまり、印刷ジョブが複数のページで構成されている場合、全ページに対して、基準ページの用紙サイズ項目の設定値と同一であるか否かが判断され、同一の設定値を有する全てのページに対して、変更後の用紙サイズ項目の変更値を反映させる。
【００７９】
一方、ステップＳ２５０で画像制御部４２は、印刷ジョブを構成する全てのページに対して一連の反映適用処理が終了したと判断すると、用紙サイズ設定画面４００を閉じてチケット編集画面３００に切り替える。
【００８０】
以上説明したように、第１の実施の形態によれば、所定のページの反映先設定情報に基づくチケット項目の設定値と同一の設定値を有する他の全てのページに対して、所定のページの変更値を反映させることができるようになる。これにより、ユーザは、チケット編集画面３００において変更の反映先等を選択するだけで、所定のページの反映先設定情報に基づくチケット項目の設定値と同一の設定値を有する全てのページに対して一括で変更値を反映させることができるので、ページ毎にチケット項目の設定値を変更する場合と比べて、操作工程を大幅に削減することができる。また、全てのページに対して一括で変更値を反映させるので、ページ単位でチケット項目を変更する場合と比較して、例えば同一トレイに複数の用紙サイズを設定してしまう等の不適当な設定を防止でき、用紙トレイ等の禁則を吸収できる。
【００８１】
＜第２の実施の形態＞
次に、第２の実施の形態について説明する。第２の実施の形態は、変更反映先情報が指定ページである点において上記第１の実施の形態とは異なっている。なお、その他の画像形成装置１００の構成は上述した第１の実施の形態と同一であるため、共通の構成要素には同一の符号を付し、詳細な説明は省略する。
【００８２】
［指定ページ設定画面の構成例］
上記第１の実施の形態で説明したチケット編集画面３００において、例えば用紙サイズ設定ボタン３５２が選択されると、図６に示したように、チケット編集画面３００上に用紙サイズ設定画面４００が重ねて表示される。用紙サイズ設定画面４００の下部左側には、用紙サイズの変更値を反映させる反映先を選択するためのチェックボックス群４３０が設けられている。チェックボックス群４３０には、上述したように、第１〜第４のチェックボックス４３１〜４３４に加えて、「指定ページ」を選択するための第５のチェックボックス４３５が設けられている。
【００８３】
第５のチェックボックス４３５は、チケット編集画面３００において変更されたチケット項目の変更値を、指定したページのチケット項目の設定値に反映させるためのボックスである。この第５のチェックボックス４３５が選択され、ＯＫボタン４５２が選択されると、図９に示すように、用紙サイズ設定画面４００上に指定ページ設定画面５００が重畳して表示される。
【００８４】
指定ページ設定画面５００は、変更の反映先のページを入力するための入力ボタン５１０と、入力ボタン５１０により入力されたページが表示される指定ページ表示領域５２０と、キャンセルボタン５３０と、ＯＫボタン５３２とから構成されている。入力ボタン５１０は、例えば、０〜９の数字キー、カンマおよびハイフンから構成されている。
【００８５】
［画像形成装置の動作例］
次に、変更反映先情報として第５のチェックボックス４３５（「指定ページ」）を選択した場合の画像形成装置１００の動作の一例について説明する。なお、用紙サイズ設定画面４００において、印刷ジョブを構成する第１ページ（基準ページ）目の用紙サイズが「Ａ４（縦）」から「８．５×１１（横）」に変更されているものとする。また、上記第１の実施の形態で説明した画像形成装置の動作例（その１）と共通する処理については説明を簡略化する。
【００８６】
図１０に示すように、ステップＳ３００で画像制御部４２は、ジョブリスト画面２００において選択された印刷ジョブの所定ページのページ設定情報を取得する。
【００８７】
ステップＳ３１０で画像制御部４２は、反映先設定情報として設定されている「指定ページ」に基づいて、ステップＳ３００で取得したページが指定ページであるか否かを判断する。取得したページが指定ページであると判断した場合にはステップＳ３２０に進む。一方、取得したページが指定ページでないと判断した場合にはステップＳ３３０に進む。
【００８８】
ステップＳ３２０で画像制御部４２は、ステップＳ３００で取得したページが指定ページであると判断した場合、取得したページの用紙サイズを、用紙サイズ設定画面４００で編集された変更後の用紙サイズに変更する。例えば、第１ページの用紙サイズが「Ａ４（縦）」から「８．５×１１（横）」に編集された場合には、取得したページの用紙サイズを「８．５×１１（横）」に変更する。
【００８９】
ステップＳ３３０で画像制御部４２は、ジョブリスト画面２００で選択した印刷ジョブにおいて次のページがあるか否かを判断する。画像制御部４２は、次のページがあると判断した場合にはステップＳ３４０に進み、次のページがないと判断した場合にはステップＳ３５０に進む。
【００９０】
ステップＳ３４０で画像制御部４２は、次のページがある場合には、次のページのページ設定情報を取得してステップＳ３１０に戻る。そして、上記ステップＳ３１０〜ステップＳ３４０までの処理と同様の処理が印刷ジョブの全ページに対して繰り返し実行される。つまり、印刷ジョブが複数のページで構成されている場合、指定ページに該当する全ページに対して、変更後の用紙サイズを反映させる。
【００９１】
一方、ステップＳ３５０で画像制御部４２は、印刷ジョブを構成する全てのページに対して一連の反映適用処理が終了したと判断すると、用紙サイズ設定画面４００を閉じてチケット編集画面３００に切り替える。
【００９２】
以上説明したように、第２の実施の形態によれば、指定ページ設定画面５００で指定したページ範囲にのみ変更値を反映させることができるようになる。これにより、ユーザは、指定ページ設定画面５００において、変更の反映先等を選択するだけで、指定したページに対して一括で変更値を反映させることができるので、ページ毎にチケット項目の設定値を変更する場合と比べて、操作工程を大幅に削減することができる。
【００９３】
＜第３の実施の形態＞
次に、第３の実施の形態について説明する。第３の実施の形態は、変更値を他の印刷ジョブにも反映させる点において上記第１および第２の実施の形態とは異なっている。なお、その他の画像形成装置１００の構成は上述した第１の実施の形態と同一であるため、共通の構成要素には同一の符号を付し、詳細な説明は省略する。
【００９４】
［チケット編集画面の構成例］
上記第１の実施の形態で説明したチケット編集画面３００において、例えば用紙サイズ設定ボタン３５２が選択されると、図６に示したように、チケット編集画面３００上に用紙サイズ設定画面４００が重ねて表示される。用紙サイズ設定画面４００の下部左側には、図１１に示すように、変更された用紙サイズの変更値を反映させる反映先を選択するためのチェックボックス群４３０が設けられている。チェックボックス群４３０には、上述したように、第１〜第５のチェックボックス４３１〜４３５に加えて、「他のジョブ」を選択するための他ジョブ設定ボタン６００が設けられている。
【００９５】
他ジョブ設定ボタン６００は、所定の印刷ジョブにおいて変更したチケット項目の変更値を、他の印刷ジョブのチケット項目の設定値に対しても反映させるためのボタンである。他ジョブ設定ボタン６００がユーザにより選択されると、図１２に示すように、ジョブリスト画面２００が表示される。ジョブリスト画面２００の構成は、図４と同様であるため、説明を省略する。
【００９６】
このジョブリスト画面２００において、変更内容を反映させたい印刷ジョブにカーソルＣＬを移動させてＯＫボタン２４２を選択することにより、変更内容を反映させる印刷ジョブが確定される。確定された印刷ジョブは、他の確定されていない印刷ジョブとは異なる色により強調表示（図１２では斜線表示）される。本例では、例えば、５個の印刷ジョブが選択された例を示しているが、勿論１個の印刷ジョブであっても良い。
【００９７】
［画像形成装置の動作例（その１）］
次に、画像形成装置１００の動作の一例について説明する。この例では、用紙サイズ設定画面４００において、印刷ジョブを構成する第１ページの用紙サイズが「Ａ４（縦）」から「８．５×１１（横）」に変更された後、第３のチェックボックス４３３である「同一トレイの全シート」が選択され、続けて、他ジョブ設定ボタン６００が選択され、ジョブリスト画面２００において複数の他の印刷ジョブが選択されたものとする。なお、図７に示した画像形成装置の動作例のステップＳ１００〜Ｓ１４０と、本例のステップＳ４００〜Ｓ４４０については、処理内容が同一であるため、説明を省略する。
【００９８】
図１３に示すように、ステップＳ４５０で画像制御部４２は、ステップＳ４３０において編集中の印刷ジョブ中に次のページがないと判断すると、変更の反映先（変更反映先情報）として別の印刷ジョブが設定されているか否かを判断する。これは、例えば、ジョブリスト画面２００で選択された他ジョブのジョブ情報に、他のジョブとして選択されたことを示す他ジョブ設定情報を付加することにより判断できる。画像制御部４２は、他ジョブの設定が行われていると判断した場合にはステップＳ４６０に進み、他ジョブの設定が行われていないと判断した場合にはステップＳ４７０に進む。
【００９９】
ステップＳ４６０で画像制御部４２は、編集対象となる他の印刷ジョブのチケット項目の設定値を、先に編集された印刷ジョブの変更内容に基づいて編集する。他の印刷ジョブの編集は、先に編集が行われた印刷ジョブと同様の方法により行われる（ステップＳ４００〜Ｓ４４０）。例えば、編集対象となる印刷ジョブの用紙サイズを、既に編集が終了している印刷ジョブで変更された用紙サイズ「８．５×１１（横）」に変更する。
【０１００】
一方、ステップＳ４７０で画像制御部４２は、印刷ジョブの全てのページに対して一連の反映適用処理が終了したと判断すると、用紙サイズ設定画面４００を閉じる。
【０１０１】
［画像形成装置の動作例（その２）］
次に、画像形成装置１００の動作の一例について説明する。この例では、用紙サイズ設定画面４００において、印刷ジョブを構成する第１ページの用紙サイズが「Ａ４（縦）」から「８．５×１１（横）」に変更された後、第４のチェックボックス４３４である「同一サイズの全シート」が選択され、続けて、他ジョブ設定ボタン６００が選択され、ジョブリスト画面２００において複数の他の印刷ジョブが選択されたものとする。なお、図７に示した画像形成装置の動作例のステップＳ１００〜Ｓ１４０と、本例のステップＳ４００〜Ｓ４４０については、処理内容が同一であるため、説明を省略する。
【０１０２】
図１４に示すように、ステップＳ５５０で画像制御部４２は、ステップＳ５３０において編集中の印刷ジョブ中に次のページがないと判断すると、変更の反映先として別の印刷ジョブが設定されているか否かを判断する。画像制御部４２は、他ジョブの設定が行われていると判断した場合にはステップＳ５６０に進み、他ジョブの設定が行われていないと判断した場合にはステップＳ５７０に進む。
【０１０３】
ステップＳ５６０で画像制御部４２は、編集対象となる他の印刷ジョブのチケット項目の設定値を変更する。他の印刷ジョブの編集は、先に編集が行われた印刷ジョブと同様の方法により行われる（ステップＳ４００〜Ｓ４４０）。
【０１０４】
一方、ステップＳ５７０で画像制御部４２は、印刷ジョブの全てのページに対して一連の反映適用処理が終了したと判断すると、用紙サイズ設定画面４００を閉じる。
【０１０５】
以上説明したように、第３の実施の形態によれば、ジョブリスト画面２００やチケット編集画面３００において他のジョブを選択するだけで、編集中の印刷ジョブにおける反映処理が終了した後に、他の印刷ジョブに対しても現在編集している印刷ジョブの変更値（用紙サイズ）を反映させることができるので、操作工程数を大幅に削減することができる。
【０１０６】
＜第４の実施の形態＞
次に、第４の実施の形態について説明する。第４の実施の形態は、編集するチケット項目がステープル項目である点において、編集するチケット項目が用紙サイズ項目である第１〜第３の実施の形態と異なっている。なお、その他の画像形成装置１００の構成は上述した第１の実施の形態と同一であるため、共通の構成要素には同一の符号を付し、詳細な説明は省略する。
【０１０７】
［ステープル設定画面の構成例］
上記第１の実施の形態で説明したチケット編集画面３００において、例えば出力設定ボタン群３７０のステープル設定ボタン３７２が選択されると、図１５に示すように、チケット編集画面３００上にステープル設定画面７００が重ねて表示される。このステープル設定画面７００は、ステープルで綴じる用紙の位置等を設定するための画面である。
【０１０８】
ステープル設定画面７００の上部中央より若干左側には、用紙の左角部をステープルで綴じるための左コーナーボタン７０２と用紙の右角部をステープルで綴じる右コーナーボタン７０４とが設けられている。これらのボタンより右側には、用紙の左辺の２点をステープルで綴じるための左ボタン７１０と用紙の右辺の２点をステープルで綴じるための右ボタン７１２と用紙の上辺の２点をステープルで綴じるための上ボタン７１４とが設けられている。
【０１０９】
ステープル設定画面７００の下部左側には、ステープルの設定内容を反映させる反映先を選択するためのチェックボックス群７２０が設けられている。チェックボックス群７２０は、「このシート」を選択するための第１のチェックボックス７２１と、「全シート」を選択するための第２のチェックボックス７２２と、「指定シート」を選択するための第３のチェックボックス７２３とから構成されている。
【０１１０】
ステープル設定画面７００のチェックボックス群７２０よりも下方には、機能オフボタン７３４とキャンセルボタン７３０とＯＫボタン７３２とが設けられている。また、チケット編集画面３００の下部にはＵＮＤＯボタン３９０が設けられている。ＵＮＤＯボタン３９０は、テンポラリに退避させておいた確定前の設定情報を元に戻すためのボタンである。ＵＮＤＯ機能は、直前の１回に限らず、複数回前の情報を元に戻すようにしても良い。
【０１１１】
このように構成されたステープル設定画面７００において、例えば、左コーナーボタン７０２が選択されると共に、「指定シート」の第３のチェックボックス７２３が選択された場合、図９で示した指定ページ設定画面５００が表示される。この指定ページ設定画面５００において、所定のページ範囲が指定されると、図１０で示した処理が行われ、指定されたページ範囲にのみ、ステープル設定画面７００で設定した「左コーナーをステープルで綴じる」というステープル項目の変更値が反映される。
【０１１２】
以上説明したように、第４の実施の形態によれば、上記第１の実施の形態と同様に、チケット編集画面３００等において変更の反映先等を選択するだけで、全てのページに対して一括で変更値（ステープルの設定内容）を反映させることができるので、ページ毎にチケット項目の設定値を変更する場合と比べて、操作工程を大幅に削減することができる。
【０１１３】
＜第５の実施の形態＞
次に、第５の実施の形態について説明する。第５の実施の形態は、編集するチケット項目がスムージング項目である点において、用紙サイズ項目やステープル項目を編集する第１〜第４の実施の形態と異なっている。
【０１１４】
［スムージング設定画面の構成例］
上記第１の実施の形態で説明したチケット編集画面３００において、例えば画質調整ボタン群３８０のスムージングボタン３８２が選択されると、図１６に示すように、チケット編集画面３００上にスムージング設定画面８００が重ねて表示される。このスムージング設定画面８００は、画面に表示される文字や図形のシャギー等を滑らかにするための画面である。スムージング設定画面８００の略中央には、スムージング機能をオンさせるためのオンボタン８０２とスムージング機能をオフさせるためのオフボタン８０４とが設けられている。
【０１１５】
スムージング設定画面８００の下部には、スムージング機能を反映させる反映先を選択するためのチェックボックス群８１０が設けられている。チェックボックス群８１０は、「現在のページ」を選択するための第１のチェックボックス８１１と、「すべてのページ」を選択するための第２のチェックボックス８１２と、「現在のページ＆シート」を選択するための第３のチェックボックス８１３と、「指定ページ」を選択するための第４のチェックボックス８１４とから構成されている。
【０１１６】
スムージング機能の設定では、現在のページ、全てのページ、現在のページ＆シート、指定ページが反映先の対象となる。これは、第４の実施の形態で説明したステープル機能の設定では用紙に打つのでページ単位ではなくシート単位となるが、スムージング機能の設定ではページ単位でオン／オフの設定が可能となるので適用範囲がページ単位となる。スムージング設定画面８００のチェックボックス群８１０よりも下方には、キャンセルボタン８２０とＯＫボタン８２２とが設けられている。
【０１１７】
このように構成されたスムージング設定画面８００において、例えば、スムージングの機能をオンさせるオンボタン８０２が選択されると共に、「指定シート」の第４のチェックボックス８１４が選択された場合、図９で示した指定ページ設定画面５００が表示される。この指定ページ設定画面５００において、所定のページ範囲が指定されると、図１０で示した処理が行われ、指定されたページ範囲にのみ、スムージング設定画面８００で設定したスムージング項目の変更値が反映される。例えば、スムージング機能をオンとするオンボタン８０２が選択されている場合には、指定されたページに対して、スムージング処理が施される。
【０１１８】
以上説明したように、第５の実施の形態によれば、上記第１の実施の形態と同様に、チケット編集画面３００等において変更の反映先等を選択するだけで、全てのページに対して一括で変更値（スムージング機能）を反映させることができるので、ページ毎にチケット項目の設定値を変更する場合と比べて、操作工程を大幅に削減することができる。
【０１１９】
なお、本発明の技術範囲は、上述した実施形態に限定されるものではなく、本発明の趣旨を逸脱しない範囲において、上述した実施形態に種々の変更を加えたものを含む。上記実施の形態では、編集するチケット項目として、用紙トレイ項目や用紙サイズ項目、ステープル項目、スムージング項目について説明したが、これに限定されることはない。例えば、用紙種類項目や坪量項目、色紙項目、パンチ項目、用紙関連のチケットを一括管理するプロファイル項目の変更値を、他のページに反映させるようにしても良い。
【符号の説明】
【０１２０】
４２・・・画像制御部、５８・・・ＨＤＤ、６４・・・操作部、１００・・・画像形成装置、２００・・・ジョブリスト画面、３００・・・チケット編集画面、４００・・・用紙サイズ設定画面、５００・・・指定ページ設定画面、６００・・・他ジョブ設定ボタン、７００・・・ステープル設定画面、８００・・・スムージング設定画面
【図１】
0005402418.tif 000002
【図２】
0005402418.tif 000003
【図３】
0005402418.tif 000004
【図４】
0005402418.tif 000005
【図５】
0005402418.tif 000006
【図６】
0005402418.tif 000007
【図７】
0005402418.tif 000008
【図８】
0005402418.tif 000009
【図９】
0005402418.tif 000010
【図１０】
0005402418.tif 000011
【図１１】
0005402418.tif 000012
【図１２】
0005402418.tif 000013
【図１３】
0005402418.tif 000014
【図１４】
0005402418.tif 000015
【図１５】
0005402418.tif 000016
【図１６】
0005402418.tif 000017